(57)【要約】【課題】対象装置の作動状態を時系列に沿って適切に把握することができる作動状態記録システム等を提供する。【解決手段】入力部５と、機器群６と、入力部５の入力に基づいて機器群６を制御する制御システム７と、を備える対象装置１に設けられ、対象装置１の作動開始から作動停止までの作動状態を記録する作動状態記録システム１０であって、制御システム７は、複数の機器２２ａ〜２２ｚを制御する複数の制御装置３１，３２ａ，３２ｂと、対象装置１の作動状態が、作動履歴情報Ｄａ，Ｄｂ，Ｄ１〜Ｄ３として記録される不揮発性記憶部４２，５２と、時間を計測する計時部３３と、を備え、制御装置３１，３２ａ，３２ｂは、対象装置１の作動状態の変化時において、対象装置１の作動状態を、計時部３３から取得した時間に関連付けて、作動履歴情報Ｄａ，Ｄｂ，Ｄ１〜Ｄ３として不揮発性記憶部４２，５２に記録する。【選択図】図１
2017224081.tif 000002
【特許請求の範囲】
【請求項１】
入力部と、複数の機器と、前記入力部の入力に基づいて前記機器のそれぞれを制御する制御システムと、を備える対象装置に設けられ、前記対象装置の作動開始から作動停止までの作動状態を記録する作動状態記録システムであって、
前記制御システムは、
複数の前記機器を制御する複数の制御装置と、
前記対象装置の作動状態が、作動履歴情報として記録される不揮発性の不揮発性記憶装置と、
時間を計測する計時部と、を備え、
前記制御装置は、前記対象装置の作動状態の変化時において、前記対象装置の作動状態を、前記計時部から取得した時間に関連付けて、前記作動履歴情報として前記不揮発性記憶装置に記録することを特徴とする作動状態記録システム。
【請求項２】
前記制御装置は、前記対象装置の作動状態の定常時において、前記対象装置の作動状態を、前記不揮発性記憶装置に記録しないことを特徴とする請求項１に記載の作動状態記録システム。
【請求項３】
前記制御装置は、前記対象装置の作動状態の変化を、２値化された状態値に基づいて検出していることを特徴とする請求項１または２に記載の作動状態記録システム。
【請求項４】
前記制御装置は、前記作動履歴情報として、前記入力部の作動状態と共に、前記入力部に関連付けられる前記機器の作動状態を合わせて前記不揮発性記憶装置に記録することを特徴とする請求項１から３のいずれか１項に記載の作動状態記録システム。
【請求項５】
前記不揮発性記憶装置は、複数の前記制御装置のそれぞれに設けられ、前記制御装置の内部に格納される不揮発性記憶部であることを特徴とする請求項１から４のいずれか１項に記載の作動状態記録システム。
【請求項６】
前記計時部は、
前記制御装置に設けられる演算部のクロック数をカウントするクロックカウンタと、
前記機器の電源の入切毎にカウントするパワーカウンタと、
時刻をカウントするタイマと、のうち少なくともいずれかを含むことを特徴とする請求項１から５のいずれか１項に記載の作動状態記録システム。
【請求項７】
前記対象装置は、航空機であることを特徴とする請求項１から６のいずれか１項に記載の作動状態記録システム。
【請求項８】
入力部と、複数の機器と、前記入力部の入力に基づいて前記機器のそれぞれを制御する制御システムと、を備える対象装置の作動開始から作動停止までの作動状態を記録する作動状態記録方法であって、
前記対象装置の作動状態が変化したか否かを検出する作動状態検出工程と、
前記作動状態検出工程において、前記対象装置の作動状態が変化したと検出した場合、前記対象装置の作動状態を取得する作動状態取得工程と、
前記対象装置の作動状態の変化時における時間を取得する時間取得工程と、
前記作動状態取得工程において取得した作動状態と、前記時間取得工程において取得した時間とを関連付けて、作動履歴情報として記録する作動履歴記録工程と、を備えることを特徴とする作動状態記録方法。
【発明の詳細な説明】
【技術分野】
【０００１】
本発明は、対象装置の作動状態を記録する作動状態記録システム及び作動状態記録方法に関するものである。
【背景技術】
【０００２】
従来、故障情報を記憶する不揮発性メモリを有するＥＣＵを備えた制御システムが知られている（例えば、特許文献１参照）。この制御システムでは、ＥＣＵのＢＩＴ機能により、システム構成品の自己診断が行われ、自己診断の結果、システム構成品の異常が検出された場合、不揮発性メモリに故障情報が記憶される。
【０００３】
また、プラントの通常運転時において、プラントの異常発生時に、異常発生時前後のプラント運転情報を記録するプラント運転情報記録方法が知られている（例えば、特許文献２参照）。
【先行技術文献】
【特許文献】
【０００４】
【特許文献１】特開２００２−３０４２１７号公報
【特許文献２】特開昭５８−０３７７１２号公報
【発明の概要】
【発明が解決しようとする課題】
【０００５】
上記のように、特許文献１の制御システム及び特許文献２のプラント等の装置では、装置の作動中において、故障時または異常時等の異常イベントが発生したときに、故障情報またはプラント運転情報等の異常イベント時における装置の作動状態に関する情報が記録されていた。
【０００６】
ところで、作動状態が記録される対象装置としては、例えば、各種試験が行われる被試験装置がある。被試験装置では、例えば、異常イベントを模擬的に発生させるための所定の作業手順（以下、異常発生作業手順という）が行われている。そして、被試験装置では、異常発生作業手順が行われることで、異常イベント発生時において、被試験装置が異常イベントに対する作動を適切に行っているか否かを確認している。ここで、被試験装置は、異常発生作業手順以外の過去の作業手順によって、作動に影響を受ける場合がある。この場合、異常発生作業手順が行われると、過去の作業手順による影響によって、被試験装置が異常イベントに対する作動を適切に行わない場合がある。この場合、被試験装置が異常イベントに対する作動を適切に行わない原因を突き止める（トラブルシュートする）必要がある。
【０００７】
しかしながら、特許文献１または特許文献２では、異常イベント発生時における装置の作動状態しか記録されていないことから、過去の装置の作動状態を把握することができない。このため、被試験装置が異常イベントに対する作動を適切に行わない原因を突き止める（トラブルシュートする）ことが困難となる。
【０００８】
そこで、本発明は、対象装置の作動状態を時系列に沿って適切に把握することができる作動状態記録システム及び作動状態記録方法を提供することを課題とする。
【課題を解決するための手段】
【０００９】
本発明の作動状態記録システムは、入力部と、複数の機器と、前記入力部の入力に基づいて前記機器のそれぞれを制御する制御システムと、を備える対象装置に設けられ、前記対象装置の作動開始から作動停止までの作動状態を記録する作動状態記録システムであって、前記制御システムは、複数の前記機器を制御する複数の制御装置と、前記対象装置の作動状態が、作動履歴情報として記録される不揮発性の不揮発性記憶装置と、時間を計測する計時部と、を備え、前記制御装置は、前記対象装置の作動状態の変化時において、前記対象装置の作動状態を、前記計時部から取得した時間に関連付けて、前記作動履歴情報として前記不揮発性記憶装置に記録することを特徴とする。
【００１０】
また、本発明の作動状態記録方法は、入力部と、複数の機器と、前記入力部の入力に基づいて前記機器のそれぞれを制御する制御システムと、を備える対象装置の作動開始から作動停止までの作動状態を記録する作動状態記録方法であって、前記対象装置の作動状態が変化したか否かを検出する作動状態検出工程と、前記作動状態検出工程において、前記対象装置の作動状態が変化したと検出した場合、前記対象装置の作動状態を取得する作動状態取得工程と、前記対象装置の作動状態の変化時における時間を取得する時間取得工程と、前記作動状態取得工程において取得した作動状態と、前記時間取得工程において取得した時間とを関連付けて、作動履歴情報として記録する作動履歴記録工程と、を備えることを特徴とする。
【００１１】
これらの構成によれば、対象装置の作動開始から作動停止までの作動状態を、時間に関連付け、作動履歴情報として記録することができる。このため、記録した作動履歴情報を時系列に沿って並べることで、対象装置の作動状態を時系列に沿って適切に把握することができる。よって、例えば、対象装置に異常イベントが発生し、対象装置が異常イベントに対する作動を適切に行わない場合であっても、異常イベント発生時の作動履歴情報の他、異常イベント発生前の過去の作動履歴情報を取得できるため、適切にトラブルシュートすることが可能となる。なお、対象装置としては、例えば、輸送機器であり、航空機、自動車、鉄道車両、船舶を含むものであってもよい。また、対象装置としては、例えば、各種試験が行われる被試験装置である。さらに、制御システムは、作動状態記録システムを兼ねた一体ものであってもよいし、制御システムと作動状態記録システムとが別体となる構成であってもよく、特に限定されない。また、対象装置の作動状態とは、入力部の作動状態、制御システムの作動状態、及び機器の作動状態を含んでいる。
【００１２】
また、前記制御装置は、前記対象装置の作動状態の定常時において、前記対象装置の作動状態を、前記不揮発性記憶装置に記録しないことが好ましい。
【００１３】
この構成によれば、定常時における対象装置の作動状態を、不揮発性記憶装置に記録しないため、不揮発性記憶装置へ記録される情報量を抑制することができ、不揮発性記憶装置の記憶容量を低減することができる。
【００１４】
また、前記制御装置は、前記対象装置の作動状態の変化を、２値化された状態値に基づいて検出していることが好ましい。
【００１５】
この構成によれば、対象装置の作動状態の変化に関する検出を、簡易な検出処理とすることができる。なお、２値化された状態値としては、例えば、機器のＯＮ／ＯＦＦ状態、状態値がしきい値を超えたか否か、動作モードが切り替えられたか否か等がある。
【００１６】
また、前記制御装置は、前記作動履歴情報として、前記入力部の作動状態と共に、前記入力部に関連付けられる前記機器の作動状態を合わせて前記不揮発性記憶装置に記録することが好ましい。
【００１７】
この構成によれば、入力部の作動状態、例えば、操作スイッチのＯＮ／ＯＦＦ等を、作動履歴情報として記録することができ、また、入力部に関連付けられる機器の作動状態も、作動履歴情報として記録することができるため、対象装置の作動状態が把握し易いものとなる。このため、対象装置のトラブル発生時において、トラブルの原因を特定し易いものとすることができる。
【００１８】
また、前記不揮発性記憶装置は、複数の前記制御装置のそれぞれに設けられ、前記制御装置の内部に格納される不揮発性記憶部であることが好ましい。
【００１９】
この構成によれば、いずれかの制御装置が作動を停止する場合であっても、他の制御装置により、作動停止した制御装置の作動状態を記録することが可能となる。
【００２０】
また、前記計時部は、前記制御装置に設けられる演算部のクロック数をカウントするクロックカウンタと、前記機器の電源の入切毎にカウントするパワーカウンタと、時刻をカウントするタイマと、のうち少なくともいずれかを含むことが好ましい。
【００２１】
この構成によれば、クロックカウンタ、パワーカウンタ及びタイマを適宜組み合わせて、計時部による時間の計測を精度の高いものとすることができる。
【００２２】
また、前記対象装置は、航空機であることが好ましい。
【００２３】
この構成によれば、航空機の作動状態を作動履歴情報として記録することができる。このため、航空機にトラブルが発生しても、過去の作動履歴情報から、適切にトラブルシュートを行うことが可能となる。
【図面の簡単な説明】
【００２４】
【図１】図１は、実施形態１に係る作動状態記録システムを備える対象装置の制御ブロックを示す説明図である。
【図２】図２は、対象装置に行われる作業手順に関する説明図である。
【図３】図３は、対象装置の作動状態の変化に関する説明図である。
【図４】図４は、作動履歴情報に関する説明図である。
【図５】図５は、実施形態１に係る作動状態記録方法に関する制御動作の一例を示すフローチャートである。
【図６】図６は、実施形態２に係る作動状態記録システムを備える対象装置の制御ブロックを示す説明図である。
【発明を実施するための形態】
【００２５】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能であり、また、実施形態が複数ある場合には、各実施形態を組み合わせることも可能である。
【００２６】
［実施形態１］
図１は、実施形態１に係る作動状態記録システムを備える対象装置の制御ブロックを示す説明図である。図２は、対象装置に行われる作業手順に関する説明図である。図３は、対象装置の作動状態の変化に関する説明図である。図４は、作動履歴情報に関する説明図である。図５は、実施形態１に係る作動状態記録方法に関する制御動作の一例を示すフローチャートである。
【００２７】
実施形態１に係る作動状態記録システム１０により作動状態が記録される対象装置１について説明する。この対象装置１は、例えば、航空機等の輸送機器であり、特に、被試験装置としての被試験機に適用されている。そして、作動状態記録システム１０は、対象装置１に組み込まれており、後述する制御システム７が、作動状態記録システム１０として機能している。なお、実施形態１では、対象装置１として、被試験機に適用して説明するが、特に限定されない。
【００２８】
対象装置１は、被試験装置であるため、図２に示すように、各試験を行うための複数の作業手順が行われる。ここで、前作業としての第１作業手順Ｓ１と、後作業としての第２作業手順Ｓ２とを対象装置１で行う場合、第１作業手順Ｓ１と第２作業手順Ｓ２との間に、他の手順Ｗ１が行われる場合がある。第１作業手順Ｓ１及び第２作業手順Ｓ２は、予め規定された手順に従って行われるものであるが、一方で、手順Ｗ１は、予め規定された手順とはなっていない。対象装置１は、第２作業手順Ｓ２を行うことによって得られる結果が、手順Ｗ１によって影響を受ける場合がある。ここで、第２作業手順Ｓ２が、例えば、異常イベントを模擬的に発生させるための所定の作業手順である場合、対象装置１は、第２作業手順Ｓ２が行われると、異常イベントに対する作動を行う。しかしながら、対象装置１は、手順Ｗ１の影響によって、異常イベントに対する作動を適切に行わないトラブルが発生する可能性がある。
【００２９】
再び、図１を参照して、対象装置１について説明する。対象装置１は、入力部５と、複数の機器２１，２２ａ〜２２ｚからなる機器群６と、入力部５の入力に基づいて機器群６を制御する制御システム７と、を備える。
【００３０】
入力部５は、複数の入力デバイスを含み、入力デバイスに対して行われる操作に対応する入力信号を、制御システム７に出力する。入力部５は、入力デバイスとして、例えば、第１から第ｎまでの複数の操作スイッチ１１ａ〜１１ｚを含んでいる。なお、入力部５は、対象装置１の種類に応じて、適切な入力デバイスが適用される。
【００３１】
機器群６は、複数の機器として、例えば、表示装置２１と、第１から第ｎまでの複数の機器２２ａ〜２２ｚとを含んでいる。機器２２ａ〜２２ｚとしては、例えば、アクチュエータ等である。機器群６は、制御システム７から出力された出力信号に応じた動作を行うと共に、各機器の作動状態に関する情報である作動信号を制御システム７へ向けて出力している。なお、機器群６も、対象装置１の種類に応じて、適切な機器が適用される。
【００３２】
制御システム７は、入力部５から入力信号が入力されると共に、機器群６から各機器の作動信号が入力される。また、制御システム７は、入力信号に基づいて機器群６を制御するための制御信号を生成し、生成した制御信号を出力信号として機器群６へ出力する。また、制御システム７は、対象装置１の作動状態を記録する作動状態記録システム１０を兼ねた構成となっている。
【００３３】
制御システム７は、複数の制御装置３１，３２ａ，３２ｂ・・・（以下、点は省略）と、計時部３３と、を有している。また、複数の制御装置３１，３２ａ，３２ｂは、冗長性を有する構成となっており、主制御装置３１と、複数の副制御装置３２ａ，３２ｂと、を含んで構成されている。なお、制御システム７も、対象装置１の種類に応じて、適切なシステムが構築される。
【００３４】
主制御装置３１は、制御システム７全体を統括して制御しており、演算部４１と、不揮発性記憶部４２とを有している。演算部４１は、ＣＰＵ（Central  Processing  Unit）等の集積回路と、作業領域となるメモリとを含み、これらのハードウェア資源を用いて、機器群６の作動を制御する処理を実行したり、機器群６の作動状態を記録したりする。また、演算部４１としてＣＰＵが適用される場合、ＣＰＵには、クロック（処理周期）数をカウントするクロックカウンタが組み込まれており、このクロックカウンタが、計時部３３の一部をなしている。不揮発性記憶部４２は、磁気記憶装置や半導体記憶装置等の不揮発性を有する記憶装置であり、不揮発性記憶部４２に記憶されるデータとしては、機器群６の作動状態に関するデータである作動履歴情報が含まれている。この不揮発性記憶部４２は、リングバッファとしており、常に最新の情報が記録され、古い情報から消去されるものとなっている。
【００３５】
複数の副制御装置３２ａ，３２ｂは、機器群６の各機器に対応して設けられ、対応する機器を個別に制御可能となっている。各副制御装置３２ａ，３２ｂは、主制御装置３１と同様に、演算部５１と、不揮発性記憶部５２とを有している。なお、演算部５１及び不揮発性記憶部５２は、演算部４１及び不揮発性記憶部４２と同様であるため、説明を省略する。
【００３６】
計時部３３は、時間を計測するものであり、クロックカウンタと、パワーカウンタと、タイマと、を含んで構成されている。クロックカウンタは、上記したように、演算部４１内に組み込まれ、クロック数をカウントしている。パワーカウンタは、機器の電源の入切毎にカウントアップ（インクリメント）している。タイマは、時刻をカウントしており、例えば、ＧＰＳ時計等が用いられる。この計時部３３は、クロックカウンタ、パワーカウンタ及びタイマから得られる情報に基づいて、時間を取得すると共に、各制御装置３１，３２ａ，３２ｂからの要求に応じて、取得した時間を出力する。
【００３７】
この制御システム７は、作動状態記録システム１０として機能する場合、対象装置１の作動状態の変化時において、各制御装置３１，３２ａ，３２ｂが、対象装置１の作動信号を取得し、計時部３３から取得した時間に関連付けて、作動履歴情報として各不揮発性記憶部４２，５２に記録している。また、制御システム７は、作動履歴情報の記録を、対象装置１の作動が開始してから、作動が停止するまで実行している。
【００３８】
ここで、図３を参照し、対象装置１の作動状態の変化について説明する。図３は、対象装置１の作動状態として、各機器２２ａ〜２２ｚの作動状態を示す作動信号を示しており、この作動信号は、各副制御装置３２ａ，３２ｂにおいて取得されている。図３に示すように、作動信号は、２値化された状態値となっており、「ＩＮＶＡＬＩＤ」となる無効状態の状態値と、「ＶＡＬＩＤ」となる有効状態の状態値とを含んでいる。副制御装置３２ａ，３２ｂは、２値化された状態値に基づいて、各機器２２ａ〜２２ｚの作動状態の変化を検出している。
【００３９】
つまり、副制御装置３２ａ，３２ｂは、無効状態から有効状態に状態値が変化したときに、機器２２ａ〜２２ｚの状態値を取得すると共に、無効状態から有効状態に状態値が変化したときの時間を計時部３３から取得する。そして、副制御装置３２ａ，３２ｂは、取得した時間と、取得した機器２２ａ〜２２ｚの状態値（作動状態）とを関連付けて、作動履歴情報Ｄａを生成し、生成した作動履歴情報Ｄａを不揮発性記憶部５２に記録する。また、副制御装置３２ａ，３２ｂは、有効状態から無効状態に状態値が変化したときに、機器２２ａ〜２２ｚの状態値を取得すると共に、有効状態から無効状態に状態値が変化したときの時間を計時部３３から取得する。そして、副制御装置３２ａ，３２ｂは、取得した時間と、取得した機器２２ａ〜２２ｚの状態値（作動状態）とを関連付けて、作動履歴情報Ｄｂを生成し、生成した作動履歴情報Ｄｂを不揮発性記憶部５２に記録する。
【００４０】
一方で、副制御装置３２ａ，３２ｂは、無効状態、または有効状態が継続している、作動状態の定常時において、機器２２ａ〜２２ｚの作動状態を記録しない。
【００４１】
なお、上記の対象装置１の作動状態の変化は、一例であり、対象装置１の作動状態としては、機器２２ａ〜２２ｚの作動状態の他、入力部５の作動状態、制御システム７内の作動状態であってもよい。例えば、入力部５の作動状態として、２値化された状態としては、操作スイッチ１１ａ〜１１ｚのＯＮ／ＯＦＦ操作等である。また、上記では、副制御装置３２ａ，３２ｂに関する制御動作を説明したが、主制御装置３１でも、同様の制御動作を実行可能である。例えば、主制御装置３１には、副制御装置３２ａ，３２ｂの作動信号が入力される。
【００４２】
また、副制御装置３２ａ，３２ｂは、作動履歴情報Ｄａ，Ｄｂとして、入力部５の作動状態を不揮発性記憶部５２に記録する場合、入力部５に関連付けられる機器２２ａ〜２２ｚの作動状態を合わせて不揮発性記憶部５２に記録してもよい。この場合、操作スイッチ１１ａ〜１１ｚと関連性の高い機器２２ａ〜２２ｚの作動状態も、作動履歴情報Ｄａ，Ｄｂとして不揮発性記憶部５２に記憶させることができる。
【００４３】
次に、図４を参照して、不揮発性記憶部４２，５２に記録される作動履歴情報について説明する。制御システム７は、入力部５を介してオペレータの操作が入力されると、各不揮発性記憶部４２，５２に記録された複数の作動履歴情報Ｄ１〜Ｄ３を時系列順に並べ、機器群６の表示装置２１に表示する。作動履歴情報Ｄ１には、例えば、副制御装置３２ａ，３２ｂの作動状態（作動開始状態）に関する情報と、時間（時刻）と、入力部５の作動状態としてのスイッチ値とが含まれている。作動履歴情報Ｄ２には、例えば、副制御装置３２ａ，３２ｂの作動状態（作動停止状態）に関する情報と、時間（時刻）と、入力部５の作動状態としてのスイッチ値とが含まれている。作動履歴情報Ｄ３には、例えば、入力部５の操作スイッチ１１ａ〜１１ｚの作動状態（ＯＦＦ→ＯＮ）に関する情報と、時間（時刻）と、入力部５の作動状態としてのスイッチ値とが含まれている。図４に示す作動履歴情報Ｄ１〜Ｄ３は、対象装置１にトラブルが発生した場合、トラブルシュートするために利用される。
【００４４】
次に、図５を参照して、上記のように構成される制御システム７による作動状態記録方法に関する一連の制御動作について説明する。なお、図５に示す制御動作は、制御システム７において繰り返し実行されている。
【００４５】
図５に示すように、先ず、制御システム７は、入力される作動信号に基づいて、対象装置１の作動状態が変化したか否かを検出する（ステップＳ１１：作動状態検出工程）。制御システム７は、対象装置１の作動状態が変化した（ステップＳ１１：Ｙｅｓ）ことを検出すると、対象装置１の作動状態に関する情報を取得する（ステップＳ１２：作動状態取得工程）。この後、制御システム７は、対象装置１の作動状態が変化ときの時間を、計時部３３から取得する（ステップＳ１３：時間取得工程）。そして、制御システム７は、作動状態取得工程Ｓ１２において取得した作動状態と、時間取得工程Ｓ１３において取得した時間とを関連付けて、作動履歴情報Ｄａ，Ｄｂ，Ｄ１〜Ｄ３を生成し、生成した作動履歴情報Ｄａ，Ｄｂ，Ｄ１〜Ｄ３を不揮発性記憶部４２，５２に記録し（ステップＳ１４：作動履歴記録工程）、一連の制御動作を終了する。
【００４６】
また、制御システム７は、作動状態検出工程Ｓ１１において、対象装置１の作動状態が変化していない（ステップＳ１１：Ｎｏ）ことを検出すると、対象装置１の作動状態を、不揮発性記憶部４２，５２に記録せずに（ステップＳ１５）、一連の制御動作を終了する。
【００４７】
以上のように、実施形態１によれば、対象装置１の作動開始から作動停止までの作動状態を、時間に関連付け、作動履歴情報Ｄａ，Ｄｂ，Ｄ１〜Ｄ３として記録することができる。このため、記録した作動履歴情報Ｄａ，Ｄｂ，Ｄ１〜Ｄ３を時系列に沿って並べることで、対象装置１の作動状態を時系列に沿って適切に把握することができる。よって、例えば、対象装置１にトラブルが発生した場合であっても、対象装置１の作動開始から作動停止までの作動履歴情報Ｄａ，Ｄｂ，Ｄ１〜Ｄ３を取得できるため、適切にトラブルシュートすることが可能となる。
【００４８】
また、実施形態１によれば、対象装置１の定常時における作動状態を、不揮発性記憶部４２，５２に記録しないため、不揮発性記憶部４２，５２へ記憶される情報量を抑制することができ、不揮発性記憶部４２，５２の記憶容量を低減することができる。
【００４９】
また、実施形態１によれば、対象装置１の作動状態の変化を、２値化された状態値に基づく検出処理を行うことで、簡易な検出処理とすることができる。
【００５０】
また、実施形態１によれば、入力部５の作動状態と共に、入力部５に関連付けられる機器２２ａ〜２２ｚの作動状態も、作動履歴情報Ｄａ，Ｄｂ，Ｄ１〜Ｄ３として記録することができるため、対象装置１の作動状態が把握し易いものとなる。このため、対象装置１のトラブル発生時において、トラブルの原因を特定し易いものとすることができる。
【００５１】
また、実施形態１によれば、複数の制御装置３１，３２ａ，３２ｂのそれぞれに、不揮発性記憶部４２を設けることができるため、いずれかの制御装置３１，３２ａ，３２ｂが作動を停止する場合であっても、他の制御装置３１，３２ａ，３２ｂにより、作動停止した制御装置３１，３２ａ，３２ｂの作動状態を記録することが可能となる。
【００５２】
また、実施形態１によれば、計時部３３は、クロックカウンタ、パワーカウンタ及びタイマを含むため、これらを適宜組み合わせることにより、計時部３３による時間の計測を精度の高いものとすることができる。
【００５３】
また、実施形態１によれば、対象装置１として航空機を適用することにより、航空機の作動状態を作動履歴情報Ｄａ，Ｄｂ，Ｄ１〜Ｄ３として記録することができる。このため、航空機にトラブルが発生しても、過去の作動履歴情報Ｄａ，Ｄｂ，Ｄ１〜Ｄ３から、適切にトラブルシュートを行うことが可能となる。
【００５４】
なお、実施形態１では、作動状態記録システム１０を、制御システム７に組み込んだ一体の構成としたが、作動状態記録システム１０を、制御システム７とは、別体の構成としてもよい。
【００５５】
［実施形態２］
次に、図６を参照して、実施形態２に係る作動状態記録システム６０について説明する。なお、実施形態２では、重複した記載を避けるべく、実施形態１と異なる部分について説明し、実施形態１と同様の構成である部分については、同じ符号を付して説明する。図６は、実施形態２に係る作動状態記録システムを備える対象装置の制御ブロックを示す説明図である。
【００５６】
実施形態２の作動状態記録システム６０は、実施形態１と同様に制御システム７に組み込まれる一方で、実施形態１において複数の制御装置３１，３２ａ，３２ｂに設けられた不揮発性記憶部４２，５２を省き、複数の制御装置３１，３２ａ，３２ｂの外部に、不揮発性記憶部６１を設けている。
【００５７】
不揮発性記憶部６１は、複数の制御装置３１，３２ａ，３２ｂが接続され、複数の制御装置３１，３２ａ，３２ｂによって、作動履歴情報Ｄａ，Ｄｂ，Ｄ１〜Ｄ３が記録される。
【００５８】
以上のように、実施形態２によれば、実施形態１のように複数の制御装置３１，３２ａ，３２ｂのそれぞれに不揮発性記憶部４２，５２を設ける必要がないため、簡易な構成とすることができる。
【符号の説明】
【００５９】
１  対象装置
５  入力部
６  機器群
７  制御システム
１０  作動状態記録システム
１１ａ〜１１ｚ  操作スイッチ
２１  表示装置
２２ａ〜２２ｚ  機器
３１  主制御装置
３２ａ，３２ｂ  副制御装置
３３  計時部
４１  主制御装置の演算部
４２  主制御装置の不揮発性記憶部
５１  副制御装置の演算部
５２  副制御装置の不揮発性記憶部
６０  作動状態記録システム（実施形態２）
６１  不揮発性記憶部（実施形態２）
Ｄａ，Ｄｂ，Ｄ１〜Ｄ３  作動履歴情報
【図１】
2017224081.tif 000003
【図２】
2017224081.tif 000004
【図３】
2017224081.tif 000005
【図４】
2017224081.tif 000006
【図５】
2017224081.tif 000007
【図６】
2017224081.tif 000008